(57)【要約】【課題】操作者が視覚障害者であっても、撮影条件についての情報及び記録媒体についての情報を確実に操作者に伝達する。【解決手段】フィルム枚数情報表示部６０はインジケータ開口６２とスライドプレート６４とを備えている。スライドプレート６４には、ラック部６５が形成されると共に、このラック部６５にはケーシング１１内に軸支されたピニオン６７が噛み合っている。このピニオン６７はギヤ列機構（図示省略）を介してフィルム巻取軸に連結されている。これにより、カメラ１０により撮影が行われてフィルム残数が減少するに従って、スライドプレート６４はインジケータ開口６２に沿ってフィルム残数の減少側（図２では左側）へ撮影枚数に対応する距離だけスライドする。【選択図】　図２
2004117950.tif 000002
【特許請求の範囲】
【請求項１】
予め設定された撮影条件に従って被写体を撮影し、該撮影により得られた撮影画像を記録媒体に記録するカメラ装置であって、
前記記録媒体についての情報を、触覚を介して操作者へ伝達する第１の情報伝達手段を有することを特徴とするカメラ装置。
【請求項２】
前記記録媒体である写真フィルムが着脱可能に装填されるフィルム装填部を有し、
前記第１の情報伝達手段として、前記フィルム装填部に写真フィルムが装填されているか否かを、触覚を介して操作者へ伝達するフィルム装填状態表示部を設けたことを特徴とする請求項１記載のカメラ装置。
【請求項３】
前記記録媒体である写真フィルムが着脱可能に装填されるフィルム装填部を有し、
前記第１の情報伝達手段として、前記フィルム装填部に装填された写真フィルムに対して既に記録された撮影画像の数及び写真フィルムに記録可能な撮影画像の数の何れかを、触覚を介して操作者へ伝達するフィルム枚数情報表示部を設けたことを特徴とする請求項１又は２記載のカメラ装置。
【請求項４】
写真フィルムに撮影画像と共に撮影時刻を記録するデート記録部と、撮影条件についての情報を、触覚を介して操作者へ伝達する第２の情報伝達手段とを有し、
前記第２の情報伝達手段として、前記デート記録部が写真フィルムに撮影画像と共に前記撮影時刻を記録する作動状態にあるか、写真フィルムへの前記撮影時刻の記録を停止する停止状態にあるかを、触覚を介して操作者へ伝達するデート記録作動表示部を設けたことを特徴とする請求項１、２又は３記載のカメラ装置。
【発明の詳細な説明】
【０００１】
【発明の属する技術分野】
本発明は、予め設定された撮影条件に従って被写体を撮影し、この被写体の撮影により得られた撮影画像を写真フィルム、電子的記憶素子等の記録媒体に記録するカメラ装置に関する。
【０００２】
【従来の技術】
近時、カメラとしてはＡＥ（ａｕｔｏｍａｔｉｃ　ｅｘｐｏｓｕｒｅ）機構、ＡＦ（ａｕｔｏｍａｔｉｃ　ｆｏｃｕｓｉｎｇ）機構を備えたものが一般化しており、このようなカメラでは、撮影時に操作者が絞りやシャッタースピード等の撮影条件を設定しなくても、撮影条件が自動設定できる。またＡＥ機構、ＡＦ機構等を備えていないカメラ（レンズ付き写真フィルムを含む）でも、写真フィルム自体が高性能化した結果、極端に高輝度又は低輝度の環境下で撮影する場合を除いて、撮影環境に応じて撮影条件を設定しなくても、十分に高画質の写真を撮影できるようになった。このようなことを背景とし、視覚障害を有する方（以下、「視覚障害者」という。）のなかにも、写真撮影を趣味等として楽しむ人口が増加しつつある。
【０００３】
しかし、カメラを使う上で必要な情報は、液晶モニターのような表示部に表示部に表示されるものが主流である。これらの情報の中には、前述のようにカメラが自動化されていても、知らないとカメラの使用上問題のある情報も含まれているが、視覚障害者にはそれらの情報を知ることは困難である。特に、カメラの中にフィルムなどの記録媒体が装填されているか、また後どのくらい撮影できるのかなどの情報は、最低知っておきたい情報である。
【０００４】
【発明が解決しようとする課題】
従って、撮影者が視覚以外の感覚により写真フィルムの在否を含むカメラの状態を判断できれば便利である。例えば、特許文献１には、撮影情報（撮影条件）の設定値を変更する毎に警告音を発生するカメラが開示されているが、このカメラは、撮影者がカメラの電源をオンした後、カメラに対して何らかの操作して設定を変更することで、警告音により初めてカメラの状態が分かるものであり、とっさに撮影をしようときに、視覚以外の感覚によりカメラの状態を判断できない。
【０００５】
【特許文献１】
特公昭６２−３８６９２号公報（第１０頁、第３〜４図）
【０００６】
本発明の目的は、上記事実を考慮して、視覚以外の触覚によりカメラの状態を操作者が知ることができるカメラ装置を提供することにある。
【０００７】
【課題を解決するための手段】
上記目的を達成するため、本発明に係るカメラ装置は、予め設定された撮影条件に従って被写体を撮影し、該撮影により得られた撮影画像を記録媒体に記録するカメラ装置であって、前記記録媒体についての情報を、触覚を介して操作者へ伝達する第１の情報伝達手段を有することを特徴とする。
【０００８】
上記本発明の係るカメラ装置によれば、第１の情報伝達手段が、触覚を介して記録媒体についての情報を操作者へ伝達することにより、カメラ装置の操作者（撮影者）が視覚障害者であっても、操作者が記録媒体についての情報の双方を触覚により確実に認識できるので、視覚障害を有する操作者が撮影前及び撮影後の記録媒体の状態を確実に把握できるようになる。
【０００９】
ここで、第１の情報伝達手段としては、例えば、フィルム装填部に対する写真フィルムの装填状態を、触覚を介して操作者へ伝達するフィルム装填状態表示部、フィルム装填部に装填された写真フィルムに対して既に記録された撮影画像の枚数又は写真フィルムに記録可能な撮影画像の枚数を、触覚を介して操作者へ伝達するフィルム枚数情報表示部等が挙げられる。
【００１０】
【発明の実施の形態】
以下、図面を参照して本発明の実施形態に係るカメラ装置について詳細に説明する。
【００１１】
（実施形態の構成）
図１及び図２には、本発明の実施形態に係るカメラ装置が示されている。このカメラ１０は、１３５サイズの写真フィルム７０（図３参照）を撮影画像の記録媒体とするものである。
【００１２】
図１に示されるように、カメラ１０は外郭部としてケーシング１１を備えており、このケーシング１１の前面部には、ストロボ１６、リモコンユニット（図示省略）から操作信号としての赤外線信号を受光するためのリモコン受光部１８、オートフォーカス用のＡＦ受光部２０及び絞り自動制御用のＡＥ受光部２２がそれぞれ設けられている。またケーシング１１の前面部には、スライドカバー２４が開放位置と閉鎖位置との間でスライド可能に配置されている。カメラ１０では、操作者がスライドカバー２４を図１に示される開放位置へスライドさせると、レンズ１２がケーシング１１内から前方へ突出し、また操作者がスライドカバー２４を開放位置からレンズ１２に正対する閉鎖位置へスライドさせると、これに連動してレンズ１２がケーシング１１内へ沈動する。またスライドカバー２４は、カメラ１０のメイン電源をオン／オフするためのスイッチとして構成されており、スライドカバー２４を開放位置へスライドさせると、メイン電源が投入されて撮影が可能になり、またスライドカバー２４を閉鎖位置へスライドさせると、メイン電源が切断されてカメラ１０が待機状態となる。
【００１３】
またケーシング１１の上面部には、シャッタボタン１４及びカメラ１０により被写体を撮影する際に、写真フィルムに記録される撮影画像と共に撮影の年月日、時刻等のデート表示を記録するデート記録部のオン／オフスイッチ２６が配置されている。オン／オフスイッチ２６は、オン位置とオフ位置との間で回転可能とされたレバー型スイッチとして構成され、このオン／オフスイッチ２６には円板状の基端部から外周側へ突出する突起状のレバー２８が形成されている。
【００１４】
ここで、オン／オフスイッチ２６を図１に示されるオン位置へ回転させると、デート記録部が写真フィルム７０に撮影画像と共にデート表示を記録する作動状態となり、また図２に示されるオフ位置へ回転させると、デート記録部が写真フィルム７０へのデート表示の記録を停止する停止状態となる。ケーシング１１の上面部には、オン／オフスイッチ２６の外周側におけるオン位置及びオートフィルムローダ位置に対応する部位に“ＯＮ”及び“ＯＦＦ”のローマ字が立体的に表示（陰刻又は陽刻）されている。これにより、操作者は、オン／オフスイッチ２６の突起部３４の位置及び“ＯＮ”及び“ＯＦＦ”の表示位置により触覚のみでも、デート記録部が作動状態にあるのか、停止状態にあるのかを容易に判断できる。
【００１５】
図２に示されるように、ケーシング１１の裏面部にはプレート状の裏蓋３０が開閉可能に設けられている。この裏蓋３０を開放することにより、ケーシング１１内に設けられたフィルム装填部（図示省略）が外部へ露出し、このフィルム装填にパトローネ７２（図３参照）に収納された写真フィルム７０を装填し、又はフィルム装填部に装填されている写真フィルム７０をパトローネ７２と共に取り出すことが可能になる。裏蓋３０の略中央部には、円板状のモードダイヤルスイッチ３２が回転可能に配置されている。このモードダイヤルスイッチ３２は、カメラ１０全体を制御する制御するための制御部（図示省略）へ配線されており、その回転方向における位置に対応する操作信号を制御部へ出力する。
【００１６】
モードダイヤルスイッチ３２の上面部には外周側に突起部３４が形成されており、一方、裏蓋３０には、モードダイヤルスイッチ３２の外周側にモードダイヤルスイッチ３２を中心として延出するリブ状のバーインデックス３６が複数形成されている。これらのバーインデックス３６は、例えば、フラッシュ発光のオン／オフ、遠景モード、近景モード、ＡＥ優先モード、ＡＦ優先モード、フルオートモード等の撮影モードにそれぞれ対応している。カメラ１０では、モードダイヤルスイッチ３２を回転させて突起部３４を所望の撮影モードに対応するバーインデックス３６と一致させることで、モードダイヤルスイッチ３２からは所望の撮影モードに対応する操作信号が制御部へ出力される。これにより、制御部は、モードダイヤルスイッチ３２の位置に対応する撮影モードを設定し、被写体に対する撮影時には設定された撮影モードに従って撮影条件が設定される。
【００１７】
ここで、例えば、モードダイヤルスイッチ３２を回転させてフラッシュ発光のオンを設定すると、ストロボ１６が作動状態となり被写体に対する撮影時に発光して被写体を照明し、またフラッシュ発光のオフを設定すると、ストロボ１６が停止状態になり、被写体に対する撮影時にストロボ１６が発光しなくなる。またモードダイヤルスイッチ３２によりフルオートモードを設定した場合には、制御部が被写体までの距離、撮影環境の輝度等を判断し、高画質の画像を得るために必要な場合のみストロボ１６を発光させる。
【００１８】
なお、カメラ１０の操作に慣れていない視覚障害者のために、カメラ１０における各撮影モードを表す点字が記録されたシール、又は各撮影モードを表すローマ字、平仮名、片仮名等が立体的に印字されたシールをカメラ１０の備品とし、これらのシールをバーインデックス３６近傍に貼り付けるようにしても良い。
【００１９】
図２に示されるように、カメラ１０における裏蓋３０には、フィルム装填部に面してＣＣ窓３８が設けられると共に、このＣＣ窓３８の下側にフィルム装填表示部４０が設けられている。ＣＣ窓３８には、ガラス、透明樹脂等からなる透過部材３９が嵌め込まれており、視覚障害を有していない操作者又は経度の視覚障害を有する操作者は、この透過部材３９を通してフィルム装填部にパトローネ７２（写真フィルム７０）が装填されているか否かを視認できる。
【００２０】
フィルム装填表示部４０は、図３に示されるように、裏蓋３０に設けられた収容凹部４２と、この収容凹部４２に面して裏蓋３０の内側の面にビス４６により締結固定されるキャップ部材４４と、収容凹部４２及びキャップ部材４４とにより形成される収容室５０内に配置される表示突起５２を備えている。ここで、表示突起５２は裏蓋３０の板厚方向（矢印Ｔ方向）に沿って移動可能とされている。また収容室５０内には、表示突起５２と共にコイルスプリング５６が配置されており、このコイルスプリング５６は、表示突起５２を常にフィルム装填部側へ付勢している。一方、裏蓋３０には収容室５０に面して挿通穴５８が穿設されており、この挿通穴５８には表示突起５２の頭部５４が出没可能に挿入されている。
【００２１】
表示突起５２は、板厚方向に沿って図３の実線で示される装填表示位置と２点鎖線（想像線）で示される未装填表示位置との間で移動可能とされている。これにより、フィルム装填表示部４０では、ケーシング１１内のフィルム装填部にパトローネ７２が装填され裏蓋３０が閉鎖されると、パトローネ７２により表示突起５２が押圧されることで、表示突起５２をコイルスプリング５６に抗して装填表示位置へ移動する。この装填表示位置では表示突起５２の頭部５４の挿通穴５８からの突出長が長くなる。またフィルム装填部にパトローネ７２が装填されずに、裏蓋３０が閉鎖されると、表示突起５２がコイルスプリング５６の付勢力により未装填表示位置に保持される。この未装填表示位置では表示突起５２の頭部５４の挿通穴５８からの突出長が短くなる。従って、カメラ１０の操作者が視覚障害であっても、操作者が表示突起５２の頭部５４の突出長を触覚により判断することで、裏蓋３０を閉鎖したままの状態で、ケーシング１１内のフィルム装填部にパトローネ７２（写真フィルム７０）が装填されているか否かを簡単に認識できる。
【００２２】
図２に示されるように、ケーシング１１の裏面側には、裏蓋３０の上側にフィルム枚数情報表示部６０が配置されている。このフィルム枚数情報表示部６０は、幅方向（矢印Ｗ方向）に沿って細長くケーシング１１に開口するインジケータ開口６２と、このインジケータ開口６２の内側に配置されたスライドプレート６４とを備えている。スライドプレート６４は、ケーシング１１により幅方向に沿ってスライド可能に出支持されており、このスライドプレート６４には円柱状のポインタ突起６６が形成され、このポインタ突起６６の先端部は、インジケータ開口６２を通してケーシング１１の外側まで突出している。またケーシング１１には、インジケータ開口６２に沿って幅方向に沿って所定のピッチで複数の指標部６８がノッチ状又は突起状に形成されている。これらの指標部６８は、フィルム装填部に装填された写真フィルム７０に画像を記録可能な枚数（フィルム残数）を表すものであり、例えば、フィルム残数の３６枚、２４枚、１２枚及び０枚に対応してそれぞれ設けられている。
【００２３】
ここで、カメラ１０は、フィルム装填部にパトローネ７２に収納された写真フィルム７０が装填されると、写真フィルム７０をケーシング１１内におけるフィルム装填部とは反対側に設けられたフィルム巻取軸（図示省略）に全て巻き取った後、撮影時に写真フィルム７０をフィルム巻取軸からパトローネ７２へ巻き戻すプレリワインド方式を採用している。一方、スライドプレート６４には、図２に示されるようにラック部６５が形成されると共に、このラック部６５にはケーシング１１内に軸支されたピニオン６７が噛み合っている。このピニオン６７は、所定の減速比を有するギヤ列機構（図示省略）を介してフィルム巻取軸に連結されている。これにより、スライドプレート６４は、フィルム巻取軸の回転量に比例する距離だけインジケータ開口６２に沿ってスライドする。
【００２４】
具体的には、カメラ１０では、フィルム装填部にパトローネ７２に収納された写真フィルム７０が装填されると、パトローネ７２内から全ての写真フィルム７０が延出されてフィルム巻取軸に巻き取られる。これに連動し、スライドプレート６４のポインタ突起６６が、フィルム巻取軸に巻き取られた写真フィルム７０の枚数に対応する指標部６８まで移動する。この後、カメラ１０により撮影が行われてフィルム残数が減少するに従って、スライドプレート６４はインジケータ開口６２に沿ってフィルム残数の減少側（図２では左側）へ撮影枚数に対応する距離だけスライドする。これにより、操作者は、スライドプレート６４のポインタ突起６６の位置及び３６枚、２４枚、１２枚等にそれぞれ対応する指標部６８により触覚により確認することで、写真フィルム７０における撮影可能なフィルム残数を容易に判断できる。
【００２５】
なお、プレワインド方式を採用していないカメラでは、本実施形態のカメラ１０とは逆に、写真フィルム７０における既に撮影済みの枚数（フィルム使用数）を表示するようにすれば、本実施形態に係るフィルム枚数情報表示部６０と略同一構造を用い、スライドプレート６４の作動方向を逆にするだけでフィルム使用数を表示可能になる。
【００２６】
（実施形態の作用）
以上説明した本実施形態に係るカメラ１０によれば、スライドカバー２４がカメラ１０のメイン電源をオン／オフするためのスイッチとして構成され、スライドカバー２４を開放位置へスライドさせるとメイン電源が投入されて撮影が可能になり、またスライドカバー２４を閉鎖位置へスライドさせると、メイン電源が切断されてカメラ１０が待機状態となることにより、カメラ１０の操作者が視覚障害者である場合にも、カメラ１０のメイン電源をオン／オフする操作を誤りなく確実に行え、かつカメラ１０のメイン電源のオン／オフをスライドカバー２４の位置を触覚により確認することで認識できるようになる。
【００２７】
またカメラ１０によれば、既に説明したように、オン／オフスイッチ２６、モードダイヤルスイッチ３２、フィルム装填表示部４０及びフィルム枚数情報表示部６０の位置等をそれぞれ触覚により確認することにより、デート記録部の作動状態、撮影モード、写真フィルム７０の装填状態及び、装填された写真フィルム７０のフィルム残数を簡単に認識できるので、カメラ１０の操作者がが視覚障害者であっても、視覚障害を有する操作者が操作を誤ることなく撮影を行え、かつ写真フィルム７０の状態及び各種の撮影条件を確実に把握できるようになる。
【００２８】
なお、以上の本実施形態に係る記載では、本発明に係る構成を１３５サイズの写真フィルム７０に撮影画像を記録（露光）するカメラ１０についてのみ説明したが、本発明に係る構成は、１３５サイズの写真フィルム７０以外の写真フィルム、例えば、ＡＰＳタイプの写真フィルム等が装填されるカメラや、写真フィルムとカメラとが一体となったレンズ付きフィルム等へも適用可能であり、また撮影画像を電子的に処理して、画像データとしてＲＡＭ、ＩＣメモリ等の電子的な内部情報記録媒体や、メモリーカード等の電子的な外部情報記録媒体に記録するデジタルカメラへも適用可能である。本発明をデジタルカメラに適用する場合には、例えば、情報記録媒体における情報の記録可能量（メモリ残量）を撮影可能な画像数に換算し、ポインタ突起６６をインジケータ開口６２における画像枚数に対応する位置へ移動させる。これにより、操作者は、ポインタ突起６６の位置及び指標部６８により触覚により確認することで、デジタルカメラにより撮影可能な画像数を容易に判断できる。
【００２９】
【発明の効果】
以上説明したように、発明に係るカメラ装置によれば、触覚により撮影可能な画像枚数等の記録媒体についての情報を操作者に伝達できる。
【図面の簡単な説明】
【図１】本発明の実施形態に係るカメラの前面部を示す斜視図である。
【図２】本発明の実施形態に係るカメラの裏面部を示す斜視図である。
【図３】図１に示されるカメラにおけるフィルム装填表示部の構成を示す断面図である。
【符号の説明】
１０　　　カメラ（カメラ装置）
２４　　　スライドカバー
２６　　　オン／オフスイッチ（第２の情報伝達手段、デート記録作動表示部）
３２　　　モードダイヤルスイッチ（第２の情報伝達手段）
３６　　　バーインデックス（第２の情報伝達手段）
４０　　　フィルム装填表示部（第１の情報伝達手段）
６０　　　フィルム枚数情報表示部（第１の情報伝達手段）
【図１】
2004117950.tif 000003
【図２】
2004117950.tif 000004
【図３】
2004117950.tif 000005